(57)【要約】【課題】充電端子寄りに通信基板が配置された携帯端末において、通信基板が充電端子からのノイズの影響を受けにくい構成を、通信基板を大型化することなく実現する。【解決手段】携帯端末１は、ケース２の後方寄りに電池１７が収容されており、ケース２の後端側に充電端子（第１充電端子５０、第２充電端子６０）と通信基板４０とが配置されている。各充電端子は、ケース２の長手方向一端側の壁部２ａから外部に露出する露出部（第１露出部５１、第２露出部６１）と、この露出部に連結されて横向きに直線状に延伸する延伸部（第１延伸部５３、第２延伸部６３）とを備えており、これら延伸部が、通信基板４０における後方側領域ＡＲの下方に配置され、且つ通信基板４０の側方における当該通信基板と上下に重ならない位置まで延伸している。【選択図】図３
2010262624.tif 000002
【特許請求の範囲】
【請求項１】
充電可能な電池と、
前記電池を収容するケースと、
前記ケースの外部からの電力を前記電池に供給する経路をなす充電端子と、
外部装置との間で信号を送受信する送受信部を備え、前記ケース内における前記充電端子寄りの位置に配置される通信基板と、
を備えた携帯端末であって、
前記充電端子は、
前記ケースの長手方向又は短手方向の内、いずれかの方向の一端側の壁部において、外部に露出する構成で配置される露出部と、
前記露出部に連結されると共に、前記いずれかの方向に対して横向きに、且つ直線状に延伸する延伸部と、
を備え、
前記延伸部は、前記通信基板における前記露出部側の領域の上方又は下方、若しくは前記通信基板の外縁部よりも外側の領域に配置され、且つ前記通信基板の側方における当該通信基板と上下に重ならない位置まで延伸していることを特徴とする携帯端末。
【請求項２】
前記露出部は、前記ケースの長手方向一端側に配置された前記一端側の壁部において外部に露出しており、
前記電池は、前記ケース内において前記長手方向の一方寄りに配置されており、
前記通信基板は、前記長手方向において、前記電池と前記一端側の壁部との間に配置されており、
前記延伸部は、前記ケースの短手方向に沿って延伸していることを特徴とする請求項１に記載の携帯端末。
【請求項３】
前記充電端子は、少なくとも第１充電端子と第２充電端子とを有し、
前記第１充電端子は、第１露出部と、第１延伸部とを備え、
前記第２充電端子は、第２露出部と、第２延伸部とを備えており、
前記第１充電端子の前記第１延伸部は、前記一端側の壁部から露出する前記第１露出部に連結されて前記横向きに延伸し
前記第２充電端子の前記第２延伸部は、前記一端側の壁部から露出する前記第２露出部に連結され、前記第１充電端子と同じ側に延びる形態で前記横向きに延伸していることを特徴とする請求項１又は請求項２に記載の携帯端末。
【請求項４】
前記通信基板の側方に、ノイズ抑制部品を搭載したノイズ抑制基板が設けられており、
前記第１延伸部及び前記第２延伸部がいずれも、前記通信基板と上下に重ならない位置において前記ノイズ抑制基板に固定されていることを特徴とする請求項３に記載の携帯端末。
【請求項５】
前記第２延伸部が、前記第１延伸部とは長さが異なるように構成されていることを特徴とする請求項３又は請求項４に記載の携帯端末。
【請求項６】
前記充電端子は、少なくとも第１充電端子と第２充電端子とを有し、
前記第１充電端子は、第１露出部と、第１延伸部とを備え、
前記第２充電端子は、第２露出部と、第２延伸部とを備えており、
前記第１充電端子の前記第１延伸部は、前記一端側の壁部から露出する前記第１露出部に連結されて前記横向きに延伸し、
前記第２充電端子の前記第２延伸部は、前記一端側の壁部から露出する前記第２露出部に連結され、前記第１充電端子が延伸する側とは反対側に延びる形態で前記横向きに延伸していることを特徴とする請求項１に記載の携帯端末。
【請求項７】
前記通信基板の一方の側方に、第１のノイズ抑制部品を搭載した第１のノイズ抑制基板が設けられ、他方の側方には、第２のノイズ抑制部品を搭載した第２のノイズ抑制基板が設けられており、
前記第１延伸部が、前記通信基板と上下に重ならない位置において前記第１のノイズ抑制基板に固定され、
前記第２延伸部が、前記通信基板と上下に重ならない位置において、前記第２のノイズ抑制基板に固定されていることを特徴とする請求項６に記載の携帯端末。
【請求項８】
前記第１充電端子及び前記第２充電端子を保持する非導電性の保持部材を有し、
前記保持部材は、少なくとも前記第１延伸部及び前記第２延伸部を被覆しつつ前記ケース内の所定位置に保持することを特徴とする請求項３から請求項７のいずれか一項に記載の携帯端末。
【請求項９】
前記送受信部は、光信号を送受信する光通信素子からなり、
前記延伸部は、少なくとも光通信素子の上方又は下方を避けた位置に固定されていることを特徴とする請求項１から請求項８のいずれかに記載の携帯端末。
【請求項１０】
充電可能な電池と、
前記電池を収容するケースと、
前記ケースの外部からの電力を前記電池に供給する経路をなす充電端子と、
外部装置との間で信号を送受信する送受信部を備え、前記ケース内における前記充電端子寄りの位置に配置される通信基板と、
を備えた携帯端末であって、
前記充電端子が、
前記ケースの長手方向又は短手方向の内、いずれかの方向の一端側の壁部において、外部に露出する構成で配置される露出部と、
前記露出部に連結されると共に、前記通信基板よりも前記一端側の壁部寄りの位置、若しくは前記通信基板の周囲の少なくともいずれかに配置されるコイル部と、
を有することを特徴とする携帯端末。
【請求項１１】
前記コイル部は、前記露出部に連結される側とは反対側が前記通信基板又は前記通信基板の側方に設けられたノイズ抑制基板に接続されていることを特徴とする請求項１０に記載の携帯端末。
【請求項１２】
前記コイル部全体が、前記いずれかの方向において前記通信基板よりも外側に配置されていることを特徴とする請求項１０又は請求項１１に記載の携帯端末。
【請求項１３】
前記コイル部は、前記いずれかの方向と直交する直交平面に沿って巻き回された構成をなすことを特徴とする請求項１０から請求項１２のいずれか一項に記載の携帯端末。
【請求項１４】
前記コイル部は、金属製の板材によって構成され、且つ一方の板面が前記いずれかの方向の一方側に面し、他方の板面が前記いずれかの方向の他方側に面する構成で配置されていることを特徴とする請求項１０から請求項１３のいずれか一項に記載の携帯端末。
【請求項１５】
前記コイル部は、磁性材料が内部に含有若しくは表面に積層されていることを特徴とする請求項１０から請求項１４のいずれか一項に記載の携帯端末。
【請求項１６】
前記ケース内における前記一端側の壁部寄りの位置に弾性変形可能な保持部材が設けられており、
少なくとも前記コイル部が前記保持部材内に埋め込まれた構成で保持されていることを特徴とする請求項１０から請求項１５のいずれか一項に記載の携帯端末。
【請求項１７】
前記保持部材は、非導電性材料に磁性材料が含有されてなることを特徴とする請求項１６に記載の携帯端末。
【請求項１８】
前記保持部材は、前記いずれかの方向と直交する幅方向に延びると共に、少なくとも一部が前記ケースの角部に設けられており、
前記コイル部は、少なくとも一部が前記ケースの角部において前記保持部材に保持されていることを特徴とする請求項１６又は請求項１７に記載の携帯端末。
【発明の詳細な説明】
【技術分野】
【０００１】
本発明は、携帯端末に関するものである。
【背景技術】
【０００２】
携帯型バーコードリーダ等の携帯端末は、様々な場所に携帯して使用することを想定しているため、充電可能な電池をケース内に収容した構成が一般的である。この種の携帯端末は、充電を繰り返し実施する必要があるため、ユーザの利便性を考慮すると、充電を容易に行い得る構成であることが望ましい。現在では、例えばケース端部に充電端子を露出させて配置しており、携帯端末が充電器（置台）に載置されたときに、当該充電端子が充電器の端子と接触し、これにより充電器からの電力が当該充電端子を介してケース内の電池に供給されるといった構成が採用されている。
【先行技術文献】
【特許文献】
【０００３】
【特許文献１】特開２００４−２２０５０４公報
【発明の概要】
【発明が解決しようとする課題】
【０００４】
しかしながら、上記のように充電端子を外部に露出させる場合、ユーザの手等が充電端子に触れやすくなり、当該充電端子を介して静電気ノイズ等が印加されやすくなってしまうという問題がある。充電端子を介してノイズが印加されると、充電ラインに近接する各種回路の誤動作等を招いてしまうため、上記のように充電端子を露出させて配置する場合には、何らかのノイズ対策を講じる必要がある。
【０００５】
上記のようなノイズを軽減する方法としては、例えば、ノイズの影響をなるべく抑えたい回路基板においてノイズ対策部品を配置する方法が考えられる。しかしながら、近年の装置小型化、高密度化の要請から、回路基板上にノイズ対策部品の実装スペースを広く確保することが難しくなってきており、また、ノイズの影響を受けやすいデジタル回路等をノイズ対策部品から離して実装することも難しくなってきている。なお、携帯端末内の回路基板上にノイズ対策部品を配置する例としては、例えば特許文献１のようなものがある。
【０００６】
また、充電端子から相当離れた位置に回路基板を配置するといった方法も考えられるが、装置小型化、高密度化を図る上では回路基板を無制限に離すこともできない。特に、充電端子寄りに回路基板を配置することが望ましい場合には、このような問題が一層顕著となる。
【０００７】
例えば、充電端子付近に通信基板（例えばＩｒＤＡ基板）を配置すると、充電端子を介して置台から電力供給を受けることができると共に、通信基板と置台とが近接した位置関係となるため、両者間で通信を良好に行うことができるようになり、ユーザの利便性を効果的に高めることができる。しかしながら、充電端子付近は上述のようにノイズの影響を受けやすい場所であるため、何ら対策を講じることなく通信基板を配置すると、当該通信基板がノイズの影響を受け、誤動作等の不具合が生じることが懸念される。
【０００８】
本発明は、上述した課題を解決するためになされたものであり、充電端子寄りに通信基板が配置された携帯端末において、通信基板が充電端子からのノイズの影響を受けにくい構成を、通信基板を大型化することなく実現することを目的とする。
【課題を解決するための手段】
【０００９】
上記目的を達成するため、請求項１の発明は、充電可能な電池と、前記電池を収容するケースと、前記ケースの外部からの電力を前記電池に供給する経路をなす充電端子と、
外部装置との間で信号を送受信する送受信部を備え、前記ケース内における前記充電端子寄りの位置に配置される通信基板と、を備えた携帯端末であって、前記充電端子が、前記ケースの長手方向又は短手方向の内、いずれかの方向の一端側の壁部において、外部に露出する構成で配置される露出部と、前記露出部に連結されると共に、前記いずれかの方向に対して横向きに、且つ直線状に延伸する延伸部と、を備えている。
更に、前記延伸部が、前記通信基板における前記露出部側の領域の上方又は下方、若しくは前記通信基板の外縁部よりも外側の領域に配置され、且つ前記通信基板の側方における当該通信基板と上下に重ならない位置まで延伸している。
【００１０】
請求項２の発明は、請求項１に記載の携帯端末において、前記露出部が、前記ケースの長手方向一端側に配置された前記一端側の壁部において外部に露出しており、前記電池が、前記ケース内において前記長手方向の一方寄りに配置されており、前記通信基板が、前記長手方向において、前記電池と前記一端側の壁部との間に配置されており、前記延伸部が、前記ケースの短手方向に沿って延伸している。
【００１１】
請求項３の発明は、請求項１又は請求項２に記載の携帯端末において、前記充電端子が、少なくとも第１充電端子と第２充電端子とを有している。
また、前記第１充電端子は、第１露出部と、第１延伸部とを備え、前記第２充電端子は、第２露出部と、第２延伸部とを備えている。
更に、前記第１充電端子の前記第１延伸部は、前記一端側の壁部から露出する前記第１露出部に連結されて前記横向きに延伸し、前記第２充電端子の前記第２延伸部は、前記一端側の壁部から露出する前記第２露出部に連結され、前記第１充電端子と同じ側に延びる形態で前記横向きに延伸している。
【００１２】
請求項４の発明は、請求項３に記載の携帯端末において、前記通信基板の側方に、ノイズ抑制部品を搭載したノイズ抑制基板が設けられており、前記第１延伸部及び前記第２延伸部がいずれも、前記通信基板と上下に重ならない位置において前記ノイズ抑制基板に固定されている。
【００１３】
請求項５の発明は、請求項３又は請求項４に記載の携帯端末において、前記第２延伸部が、前記第１延伸部とは長さが異なるように構成されていることを特徴とする。
【００１４】
請求項６の発明は、請求項１に記載の携帯端末において、前記充電端子が、少なくとも第１充電端子と第２充電端子とを有している。
また、前記第１充電端子は、第１露出部と、第１延伸部とを備え、前記第２充電端子は、第２露出部と、第２延伸部とを備えている。
更に、前記第１充電端子の前記第１延伸部は、前記一端側の壁部から露出する前記第１露出部に連結されて前記横向きに延伸し、前記第２充電端子の前記第２延伸部は、前記一端側の壁部から露出する前記第２露出部に連結され、前記第１充電端子が延伸する側とは反対側に延びる形態で前記横向きに延伸している。
【００１５】
請求項７の発明は、請求項６に記載の携帯端末において、前記通信基板の一方の側方に、第１のノイズ抑制部品を搭載した第１のノイズ抑制基板が設けられ、他方の側方には、第２のノイズ抑制部品を搭載した第２のノイズ抑制基板が設けられている。
また、前記第１延伸部は、前記通信基板と上下に重ならない位置において前記第１のノイズ抑制基板に固定され、前記第２延伸部は、前記通信基板と上下に重ならない位置において、前記第２のノイズ抑制基板に固定されている。
【００１６】
請求項８の発明は、請求項３から請求項７のいずれか一項に記載の携帯端末において、更に、前記第１充電端子及び前記第２充電端子を保持する非導電性の保持部材が設けられており、この保持部材は、少なくとも前記第１延伸部及び前記第２延伸部を被覆しつつ前記ケース内の所定位置に保持している。
【００１７】
請求項９の発明は、請求項１から請求項８のいずれかに記載の携帯端末において、前記送受信部が、光信号を送受信する光通信素子からなり、前記延伸部が、少なくとも光通信素子の上方又は下方を避けた位置に固定されている。
【００１８】
請求項１０の発明は、充電可能な電池と、前記電池を収容するケースと、前記ケースの外部からの電力を前記電池に供給する経路をなす充電端子と、外部装置との間で信号を送受信する送受信部を備え、前記ケース内における前記充電端子寄りの位置に配置される通信基板と、を備えた携帯端末であって、前記充電端子が、前記ケースの長手方向又は短手方向の内、いずれかの方向の一端側の壁部において、外部に露出する構成で配置される露出部と、前記露出部に連結されると共に、前記通信基板よりも前記一端側の壁部寄りの位置、若しくは前記通信基板の周囲の少なくともいずれかに配置されるコイル部と、を有している。
【００１９】
請求項１１の発明は、請求項１０に記載の携帯端末において、前記コイル部は、前記露出部に連結される側とは反対側が前記通信基板又は前記通信基板の側方に設けられたノイズ抑制基板に接続されている。
【００２０】
請求項１２の発明は、請求項１０又は請求項１１に記載の携帯端末において、前記コイル部全体が、前記いずれかの方向において前記通信基板よりも外側に配置されている。
【００２１】
請求項１３の発明は、請求項１０から請求項１２のいずれか一項に記載の携帯端末において、前記コイル部が、前記いずれかの方向と直交する直交平面に沿って巻き回された構成をなしている。
【００２２】
請求項１４の発明は、請求項１０から請求項１３のいずれか一項に記載の携帯端末において、前記コイル部が、金属製の板材によって構成され、且つ一方の板面が前記いずれかの方向の一方側に面し、他方の板面が前記いずれかの方向の他方側に面する構成で配置されている。
【００２３】
請求項１５の発明は、請求項１０から請求項１４のいずれか一項に記載の携帯端末において、前記コイル部は、磁性材料が内部に含有若しくは表面に積層されている。
【００２４】
請求項１６の発明は、請求項１０から請求項１５のいずれか一項に記載の携帯端末において、前記ケース内における前記一端側の壁部寄りの位置に弾性変形可能な保持部材が設けられており、少なくとも前記コイル部が前記保持部材内に埋め込まれた構成で保持されている。
【００２５】
請求項１７の発明は、請求項１６に記載の携帯端末において、前記保持部材は、非導電性材料に磁性材料が含有されてなる。
【００２６】
請求項１８の発明は、請求項１６又は請求項１７に記載の携帯端末において、前記保持部材は、前記いずれかの方向と直交する幅方向に延びると共に、少なくとも一部が前記ケースの角部に設けられており、前記コイル部は、少なくとも一部が前記ケースの角部において前記保持部材に保持されている。
【発明の効果】
【００２７】
請求項１の発明は、ケース内の一端側の壁部において外部に露出する構成で充電端子が配置されており、この充電端子寄りの位置に通信基板が配置されている。このようにすると、充電端子側で外部通信を行う場合に有利な構成となる。
また、充電端子は、外部に露出する露出部と、露出部に連結されると共に横向き且つ直線状に延伸する延伸部とを備えており、延伸部が、通信基板における露出部側の領域の上方又は下方、若しくは通信基板の外縁部よりも外側の領域に配置され、且つ通信基板の側方における当該通信基板と上下に重ならない位置まで延伸している。
このようにすると、露出部からのライン（延伸部）が、通信基板に対して横に逃げる直線状の経路となり、例えば撓み易いワイヤなどを通信基板と接触しやすい位置に湾曲させて這い回す構成と比較して、通信基板が受けるノイズの影響を効果的に低減できる。
また、延伸部が通信基板と上下に重ならない位置まで延伸しているため、通信基板を避けたスペースを利用して延伸部を他部品に接続することができる。
【００２８】
請求項２の発明は、ケースの長手方向一端側に配置された壁部（一端側の壁部）において露出部が外部に露出している。また、ケース内において長手方向の一方寄りに電池が配置されており、露出部が配置された壁部（一端側の壁部）と電池との間に通信基板が配置されている。このようにすると、長手方向一端側に電池、充電端子、通信基板を効率的に配置することができる。
特に充電端子と電池を近い場所に配置できるため、充電ラインを必要以上に確保する必要が無く、通信基板が電池と壁部（一端側の壁部）の間に配置されているため、ケースの厚さや幅をそれほど大きくすることなく充電端子寄りに通信基板を配置することができる。即ち、通信基板を電池と上下に重ねて配置したり、電池の左右に通信基板を配置せずに済む為、電池付近においてケースの厚さや幅を抑えることができ、持ち運び時や使用時に電池部分を把持しやすくなる。
一方、このように電池と壁部（一端側の壁部）の間の狭いスペースに通信基板を配置すると、通信基板と充電端子との距離が近くなり、通信基板に対する充電端子からのノイズの影響が懸念されるが、延伸部をケースの短手方向に沿って直線状に配置して通信基板から逃がしているため、通信基板がノイズの影響を受けにくくなる。従って、「電池付近のケース厚さや幅を低減し得る効率的な配置」及び「ノイズの影響の抑制」を共に実現できる優れた構成となる。
【００２９】
請求項３の発明は、充電端子が、少なくとも第１充電端子と第２充電端子とを有している。そして、第１充電端子の第１延伸部は、一端側の壁部から露出する部分（第１露出部）に連結されて横向きに延伸し、第２充電端子の第２延伸部は、一端側の壁部から露出する部分（第２露出部）に連結され、第１充電端子と同じ側に延出する形態で横向きに延伸している。このようにすると、２つの充電ラインを同方向にまとめることができ、且つ通信基板がいずれの充電ラインのノイズの影響も受け難くなる。
【００３０】
請求項４の発明は、通信基板の側方に、ノイズ抑制部品を搭載したノイズ抑制基板が設けられており、第１延伸部及び第２延伸部がいずれも、通信基板と上下に重ならない位置においてノイズ抑制基板に固定されている。このようにすると、通信基板を適切な位置に配置しつつ、当該通信基板を避けた側方スペースを利用してノイズ抑制基板を配置することができる。これにより、充電端子に印加されたノイズが通信基板に伝わりにくい構成を実現しつつ、通信基板を避けた位置においてノイズ自体を低減する対策を講じることができ、ひいては、通信基板や他の部品へのノイズの影響をより一層効果的に抑えることができる。
【００３１】
請求項５の発明は、第２延伸部が、第１延伸部とは長さが異なるように構成されている。このようにすると、第１延伸部及び第２延伸部の各長さを、それぞれ独立して適切な長さに決めることができる。
【００３２】
請求項６の発明は、充電端子が、少なくとも第１充電端子と第２充電端子とを有している。そして、第１充電端子の第１延伸部は、一端側の壁部から露出する部分（第１露出部）に連結されて横向きに延伸し、第２充電端子の第２延伸部は、一端側の壁部から露出する部分（第２露出部）に連結され、第１充電端子が延伸する側とは反対側に延びる形態で横向きに延伸している。このようにすると、各充電ラインを逆方向に這い回したほうが都合の良い場合（例えば、同方向に這い回すスペースがあまり無い場合等）に有利となり、且つ通信基板がいずれの充電ラインのノイズの影響も受け難くなる。
【００３３】
請求項７の発明は、通信基板の一方の側方に、第１のノイズ抑制部品を搭載した第１のノイズ抑制基板が設けられ、他方の側方には、第２のノイズ抑制部品を搭載した第２のノイズ抑制基板が設けられている。このようにすると、通信基板を適切な位置に配置しつつ、当該通信基板を避けた両側方スペースを利用してノイズ抑制基板をそれぞれ配置することができる。これにより、充電端子に印加されたノイズが通信基板に伝わりにくい構成を実現しつつ、通信基板を避けた位置においてノイズ自体を低減する対策を講じることができ、ひいては、通信基板や他の部品へのノイズの影響をより一層効果的に抑えることができる。
【００３４】
請求項８の発明は、更に、第１充電端子及び第２充電端子を保持する非導電性の保持部材が設けられており、この保持部材は、少なくとも第１延伸部及び第２延伸部を被覆しつつケース内の所定位置に保持している。このように保持部材によって第１延伸部及び第２延伸部を被覆することで、両延伸部から通信基板へのノイズの伝達を効果的に抑えることができ、また、保持部材が両延伸部の位置を保持しているため、撓み等によって両延伸部が通信基板に接近してしまうといった事態を回避できる。
【００３５】
請求項９の発明は、送受信部が、光信号を送受信する光通信素子からなり、延伸部が、少なくとも光通信素子の上方又は下方を避けた位置に固定されている。このようにすると、光通信を行う基板へのノイズの影響を抑えることができ、特に光通信素子付近にノイズが伝達されにくくなる。
【００３６】
請求項１０の発明では、ケースの長手方向又は短手方向の内、いずれかの方向の一端側の壁部において外部に露出する構成で充電端子が配置されており、この充電端子寄りの位置に通信基板が配置されている。このようにすると、充電端子側で外部通信を行う場合に有利な構成となる。
更に、充電端子は、外部に露出する構成で配置される露出部と、この露出部に連結されると共に、通信基板よりも一端側の壁部寄りの位置、若しくは通信基板の周囲の少なくともいずれかに配置されるコイル部を有している。このようにすると、充電端子の一部をインダクタンス成分として機能させることができる。従って、充電端子に外部から突発的なノイズ（例えば静電気等に起因する電圧等）が印加されても、このインダクタンス成分によりノイズを効果的に低減することができ、充電端子付近に存在する通信基板にノイズの影響が及びにくくなる。
【００３７】
請求項１１の発明では、コイル部における露出部に連結される側とは反対側が、通信基板又は通信基板の側方に設けられたノイズ抑制基板に接続されている。このようにすると、充電端子にノイズが印加された場合に、当該ノイズをコイル部とノイズ抑制基板とによって低減することができるため、より一層のノイズ抑制効果が得られ、通信基板や他の部品をより効果的に保護することができる。
【００３８】
請求項１２の発明では、通信基板が設けられた側においてコイル部全体が通信基板よりも外側に配置されている。このようにすると、通信基板の外側のコイル部でノイズを低減できるため、内側に配置された通信基板がノイズの影響をより受けにくくなる。
【００３９】
請求項１３の発明では、充電端子が、ケースの長手方向又は短手方向の内、いずれかの方向の一端側の壁部に配置された構成において、コイル部が、当該いずれかの方向（コイル部が一端側に寄せられる当該方向）と直交する直交平面に沿って巻き回された構成をなしている。このようにすると、前記いずれかの方向にコイル部を嵩張らせたくない場合に有利であり、当該いずれかの方向と直交する方向のスペースを利用してコイル部を効率的に配置することができる。
【００４０】
請求項１４の発明は、充電端子が、ケースの長手方向又は短手方向の内、いずれかの方向の一端側の壁部に配置された構成において、コイル部が、金属製の板材によって構成され、且つ一方の板面が前記いずれかの方向の一方側に面し、他方の板面が前記いずれかの方向の他方側に面する構成で配置されている。このようにすると、コイル部を構成する板材の板厚方向が前記いずれかの方向（コイル部が一端側に寄せられる当該方向）に沿った構成となるため、前記いずれかの方向にコイル部を嵩張らせたくない場合により一層有利となる。
【００４１】
請求項１５の発明では、コイル部において磁性材料が内部に含有若しくは表面に積層されている。このようにすると、コイル部のインダクタンスをより大きくすることができ、通信基板が受けるノイズの影響をより一層効果的に低減できる。
【００４２】
請求項１６の発明は、充電端子が、ケースの長手方向又は短手方向の内、いずれかの方向の一端側の壁部に配置された構成において、ケース内の前記一端側の壁部寄りの位置に弾性変形可能な保持部材が設けられ、少なくともコイル部が保持部材内に埋め込まれた構成で保持されている。このようにすると、コイル部を保持部材によってより安定的に保持することができ、外部からの衝撃等に強い構成となる。更に、保持部材が弾性変形可能に構成されているため、例えば、落下等によって前記一端部側に外部から衝撃が加えられたときに、保持部材が弾性変形することによってこの衝撃を効果的に吸収することができ、前記一端部側に設けられた通信基板などに衝撃の影響が及びにくくなる。
【００４３】
請求項１７の発明では、保持部材は、磁性材料が含有された非導電性材料から構成されている。このようにすると、コイル部のインダクタンスをさらに大きくすることができ、通信基板が受けるノイズの影響をより一層効果的に低減できる。
【００４４】
請求項１８の発明では、充電端子が、ケースの長手方向又は短手方向の内、いずれかの方向の一端側の壁部に配置された構成において、保持部材が前記いずれかの方向と直交する幅方向に延びると共に、少なくとも一部がケースの角部に設けられており、コイル部は、少なくとも一部がケースの角部において保持部材に保持されている。このようにすると、携帯端末が落下したときに、衝撃がもっとも加わり易いケースの角部が保持部材及びコイル部により弾性的に保護されるため、携帯端末に対する衝撃（特に角部に対する衝撃）をより一層効果的に低減できる。また、保持部材を衝撃吸収部材として兼用できるため、別途衝撃吸収用の部品（例えば衝撃吸収カバー等）を設けなくても相応の衝撃吸収効果が得られ、部品点数の低減、装置全体の小型化にも寄与することとなる。
【図面の簡単な説明】
【００４５】
【図１】図１は、本発明の第１実施形態に係る携帯端末を概略的に例示する側面図である。
【図２】図２（ａ）は、図１の携帯端末の電気的構成を概略的に例示するブロック図である。図２（ｂ）は、情報コード読取部の構成を例示するブロック図である。
【図３】図３は、ケース内における通信基板付近を概略的に例示する斜視図である。
【図４】図４は、図３から通信基板を取り外した状態を例示する斜視図である。
【図５】図５は、充電端子が保持部材に保持されている様子を示す斜視図である。
【図６】図６（ａ）は、保持部材によって充電端子が保持された部分（端子ユニット）を上方から見た図であり、図６（ｂ）は、その端子ユニットを後方から見た図である。
【図７】図７（ａ）は、充電端子を上方から見た図であり、図７（ｂ）は、充電端子を後方から見た図である。
【図８】図８は、充電端子を斜め後方から見た斜視図である。
【図９】図９は、第２実施形態に係る携帯端末における通信基板付近を概略的に例示する斜視図である。
【図１０】図１０（ａ）は、図９の携帯端末で用いられる端子ユニットを上方から見た図であり、図１０（ｂ）は、その端子ユニットを後方から見た図である。
【図１１】図１１（ａ）は、図９の携帯端末で用いられる充電端子を上方から見た図であり、図１１（ｂ）は、その充電端子を後方から見た図である。
【図１２】図１２は、第３実施形態に係る携帯端末における通信基板付近を概略的に例示する斜視図である。
【図１３】図１３は、図１２の携帯端末で用いられる充電端子が保持部材に保持されている様子を示す斜視図である。
【図１４】図１４（ａ）は、図１２の携帯端末で用いられる端子ユニットを上方から見た図であり、図１４（ｂ）は、その端子ユニットを後方から見た図である。
【図１５】図１５（ａ）は、図１２の携帯端末で用いられる充電端子を上方から見た図であり、図１５（ｂ）は、その充電端子を後方から見た図である。
【図１６】図１６は、図１２の携帯端末で用いられる充電端子を斜め後方から見た斜視図である。
【図１７】図１７は、第３実施形態の変形例に係る携帯端末の充電端子が保持部材に保持されている様子を示す斜視図である。
【図１８】図１８（ａ）は、第３実施形態の変形例に係る携帯端末の端子ユニットを上方から見た図であり、図１８（ｂ）は、その端子ユニットを後方から見た図である。
【図１９】図１９（ａ）は、第３実施形態の変形例に係る携帯端末の充電端子を上方から見た図であり、図１９（ｂ）は、その充電端子を後方から見た図である。
【図２０】図２０は、第３実施形態の変形例に係る携帯端末の充電端子を斜め後方から見た斜視図である。
【図２１】図２１は、本発明の第３実施形態の変形例に係る携帯端末を概略的に例示する側面図である。
【発明を実施するための形態】
【００４６】
[第１実施形態]
以下、本発明の携帯端末を具現化した第１実施形態について、図面を参照して説明する。
（全体構成）
まず、図１、図２等を参照して第１実施形態に係る携帯端末１の全体構成について説明する。なお、図１は、本発明の第１実施形態に係る携帯端末を概略的に例示する側面図である。また、図２（ａ）は、図１の携帯端末の電気的構成を概略的に例示するブロック図であり、図２（ｂ）は、情報コード読取部の構成を説明する説明図である。
【００４７】
図１に示す携帯端末１は、ユーザによって携帯されて様々な場所で用いられるものであり、バーコードや二次元コードなどの情報コードを読み取る情報コードリーダとしての機能を有している。
【００４８】
図１、図２に示すように、携帯端末１は、全体的に長手状に構成されており、長手状のケース２のよって外郭が構成され、このケース２の内部に各種部品（各種電気部品等）が収容されている。ケース２は、例えば樹脂材料などからなる複数のケース体によって構成され、これらが結合した箱状形態をなしている。本実施形態では、ケース２の長手方向を前後方向とし、読取口が形成された側を前方側、それとは反対側を後方側としている。また、ケース２の厚さ方向を上下方向とし、操作部や表示装置１１が設けられた側を上方側、それとは反対側を下方側としている。また、これら前後方向及び上下方向と直交する方向を幅方向（横方向）としている。なお、図１等では前後方向をＸ軸方向として示しており、上下方向をＹ軸方向として示している。また、幅方向（横方向）をＺ軸方向として示している。
【００４９】
ケース２の前方側には情報コードからの反射光を取り込む読取口５が形成されている。この読取口５は、ケース２の内部に光を取り込みうる開口形状となっており、その開口が透明部材（例えば透明の樹脂部材）によって閉塞された構成をなしている。また、携帯端末１には、ケース２から露出する形態で様々な部品が設けられている。例えば、上面側には、表示装置１１や、複数個の操作ボタン１４ａ（数字キーや機能キー等）を有するキー操作部１４が設けられており、側面側には、読取指示用のトリガスイッチ１３（図１では図示略）などが設けられている。
【００５０】
次に、電気的構成について説明する。携帯端末１におけるケース２の内部には、図２（ａ）に示すように、携帯端末１全体を制御する制御部１０が設けられている。この制御部１０は、マイコンを主体として構成されるものであり、ＣＰＵ、システムバス、入出力インタフェース等を有しており、メモリ１６と協働して情報処理手段として機能している。また、制御部１０には、表示装置１１、スピーカ１２、トリガスイッチ１３、キー操作部１４、外部インターフェース１５なども接続されている。
【００５１】
トリガスイッチ１３やキー操作部１４は、制御部１０に対して操作信号を与える構成をなしており、制御部１０は、これらからの操作信号を受けて操作信号の内容に応じた各種制御を行う。表示装置１１は、例えば液晶表示器として構成されており、制御部１０からの指令を受けて様々な表示動作が行われるようになっている。外部インターフェース１５は、外部（例えばホスト装置）との間でのデータ通信を行うためのインターフェースとして構成されており、制御部１０と協働して通信処理を行うように構成されている。また、ケース２内には、電源となる電池１７や電源部１８が設けられており、これらによって制御部１０や各種電気部品に電力が供給されるようになっている。
【００５２】
また、制御部１０には、情報コード読取部３０が接続されている。この情報コード読取部３０は、図２（ｂ）に示すように、ＣＣＤエリアセンサ等の受光センサ３３、結像レンズ３７、複数個のＬＥＤやレンズ等から構成される照明部３１などを備えた構成をなしており、制御部１０と協働して読取対象Ｒに付された情報コードＣ（バーコードや二次元コード）を読み取るように機能する。この情報コード読取部３０によって読み取りを行う場合、まず、制御部１０によって指令を受けた照明部３１から照明光Ｌｆが出射され、この照明光Ｌｆが読取口５（図１）を通って読取対象Ｒに照射される。そして、照明光Ｌｆが情報コードＣ（バーコードや二次元コード）にて反射した反射光Ｌｒは、読取口５を通って装置内に取り込まれ、結像レンズ３７を通って受光センサ３３に入射する。読取口５と受光センサ３３との間に配される結像レンズ３７は、情報コードＣの像を受光センサ３３上に結像させる構成をなしており、受光センサ３３はこの情報コードＣの像に応じた受光信号を出力する。受光センサ３３から出力された受光信号は、画像データとしてメモリ１６（図２（ａ））に記憶され、デコード処理に用いられる。なお、情報コード読取部３０には、受光センサ３３からの信号を増幅する増幅回路や、その増幅された信号をデジタル信号に変換するＡＤ変換回路等が設けられているがこれらの回路については図示を省略している。
【００５３】
更に、制御部１０には、ＩｒＤＡ部２０が接続されている。このＩｒＤＡ部２０は、規格化された公知のＩｒＤＡ通信方式で光無線データ通信を行うインターフェースとして構成されており、発光素子及び受光素子を有する光通信素子４１（ＩｒＤＡ通信モジュール）が通信基板４０上に実装された構成をなしている。なお、光通信素子４１は、「送受信部」の一例に相当しており、外部装置との間で信号を送受信する機能を有している。
【００５４】
（特徴的構成）
次に、図３〜図８等を参照し、本実施形態の特徴的構成について詳述する。
図３は、ケース内における通信基板付近を概略的に例示する斜視図である。図４は、図３から通信基板を取り外した状態を例示する斜視図である。図５は、充電端子が保持部材に保持されている様子を示す斜視図である。図６（ａ）は、保持部材によって充電端子が保持された部分を上方から見た図であり、図６（ｂ）は、その部分を後方から見た図である。図７（ａ）は、充電端子を上方から見た図であり、図７（ｂ）は、充電端子を後方から見た図である。図８は、充電端子を斜め後方から見た斜視図である。
【００５５】
本実施形態に係る携帯端末１は、図１に示すように、長手状に構成されるケース２の内部において、当該ケース２の長手方向一方寄り（後方寄り）に電池１７が配置されている。そして、図１、図３に示すように、その長手方向（前後方向）における電池１７と壁部２ａ（後端側の壁部）の間の位置に、上述の通信基板４０が配置されている。
【００５６】
この通信基板４０は、ケース２の内部における充電端子寄りの位置（即ち後端寄りの位置）において、その板面が上下方向（Ｙ軸方向）とほぼ直交する構成で配置されており、この通信基板４０の所定位置（図３の例では通信基板４０の後端寄りの位置）に光通信素子４１が実装されている。ケース２における光通信素子４１の後方側の位置には、光を通過させる窓部３が形成されており、この窓部３を介して光通信素子４１からの光がケース２の外部に導出され、あるいはケース２の外部からの光がケース内に導入されるようになっている。なお、窓部３は、壁部２ａに形成された開口部２ｂとこの開口部２ｂを閉塞する透光部材４によって構成されており、透光部材４と対向する位置に光通信素子４１が配置されている。
【００５７】
更に、ケース２の後端の壁部２ａに形成された開口（図示略）を介して露出する形態で、２つの充電端子（第１充電端子５０、第２充電端子６０：図５等参照）が設けられている。これら第１充電端子５０及び第２充電端子６０は、ケース２の外部からの電力を電池１７に供給する経路をなしており、図５、図６に示すように、長手状の保持部材７０に保持され、ケース２内において壁部２ａに形成された開口（図示略）に面する構成で配置されている。
【００５８】
図７、図８に示すように、第１充電端子５０は、金属板材によって構成（例えば板金加工などによって構成）されており、第１露出部５１と第１延伸部５３とが一体的に連結した構成をなしている。図５、図８に示すように、第１露出部５１は、第１延伸部５３から下方に延びた下方延出部５１ａと、この下方延出部５１ａから折り返されて上方に延びる上方延出部５１ｂとを有しており、この上方延出部５１ｂが壁部２ａに形成された開口を介して外部に露出している。
【００５９】
第１延伸部５３は、第１露出部５１における下方延出部５１ａに連結されており、ケース２の短手方向（幅方向）に沿って直線状且つ横向きに延伸している。第１延伸部５３は、細長且つ板状に構成されており、その板面が前後方向と略直交するように配置されている。図３、図４に示すように、本実施形態では、両充電端子（第１充電端子５０及び第２充電端子６０）が保持部材７０によって保持されてなる端子ユニット９０が、通信基板４０における後方側領域（露出部側の領域）の下方に配置されているため、第１延伸部５３も通信基板４０の後方側領域（図３の一点鎖線ＡＲ参照）の下方に位置しており、通信基板４０の側方の所定位置（通信基板４０と上下に重ならない位置）まで延伸している。
【００６０】
また、第１充電端子５０には、第１延伸部５３の端部から折れ曲がり、当該第１延伸部５３から上方に延びる第１曲折部５５が設けられている。この第１曲折部５５は、第１延伸部５３の延伸方向（即ち横方向）に対して直交方向に延びており、端部側が保持部材７０から露出しており、先端部付近が後述するノイズ抑制基板８０に接続されている。
【００６１】
図７、図８に示すように、第２充電端子６０も金属板材によって構成（例えば板金加工などによって構成）されており、第２露出部６１と第２延伸部６３とが一体的に連結した構成をなしている。図５、図８に示すように、第２露出部６１は、第２延伸部６３から下方に延びた下方延出部６１ａと、この下方延出部６１ａから折り返されて上方に延びる上方延出部６１ｂとを有しており、この上方延出部６１ｂが壁部２ａに形成された開口を介して外部に露出している。
【００６２】
第２延伸部６３は第２露出部６１における下方延出部６１ａに連結されており、第１延伸部５３と同じ側に延びる形態で、ケース２の短手方向（幅方向）に沿って直線状且つ横向きに延伸している。第２延伸部６３は、細長且つ板状に構成されており、その板面が前後方向と略直交するように配置されている。図３、図４に示すように、第２延伸部６３も通信基板４０の後方側領域（図３の一点鎖線ＡＲ参照）の下方に位置しており、通信基板４０の側方の所定位置（通信基板４０と上下に重ならない位置）まで延伸している。
【００６３】
また、第２充電端子６０には、第２延伸部６３の端部から折れ曲がり、当該第２延伸部６３から上方に延びる第２曲折部６５が設けられている。この第２曲折部６５は、第２延伸部６３の延伸方向（即ち横方向）に対して直交方向に延びており、端部側が保持部材７０から露出しており、先端部付近が後述するノイズ抑制基板８０に接続されている。
【００６４】
図５、図６に示すように、第１露出部５１と第２露出部６１は、ある程度の距離を保って横方向に並んでおり、第１曲折部５５と第２曲折部６５も、一定の距離を保って配置されている。図５、図６の例では、第１延伸部５３と第２延伸部６３とがやや近接して配置され、第１露出部５１と第２露出部６１との間隔よりも、第１延伸部５３と第２延伸部６３との間隔のほうが小さくなるように構成されているため、第１延伸部５３の長さと、第２延伸部６３の長さが異なっており、具体的には、第２延伸部６３よりも第１延伸部５３のほうが長く構成されている。
【００６５】
上記充電端子（第１充電端子５０及び第２充電端子６０）を保持する保持部材７０は、非導電性の材質（例えば樹脂部材等）によって構成されており、第１充電端子５０の一部及び第２充電端子６０の一部を被覆しつつ、これら充電端子をケース２内の所定位置に保持している。第１充電端子５０については、保持部材７０によって、第１延伸部５３の全体、及び第１露出部５１の基端部（下方延出部５１ａの一部）、及び第１曲折部５５の基端部が被覆されており、第１充電端子５０については、第１露出部５１の先端側及び第１曲折部５５の先端側のみがこの保持部材７０から露出している。また、第２充電端子６０については、保持部材７０によって、第２延伸部６３の全体、及び第２露出部６１の基端部（下方延出部６１ａの一部）、及び第２曲折部６５の基端部が被覆されており、第２充電端子６０については、第２露出部６１の先端側及び第２曲折部６５の先端側のみがこの保持部材７０から露出している。
【００６６】
上記保持部材７０は、第１充電端子５０及び第２充電端子６０を被覆しつつ、これらを通信基板４０の後端部の下方位置に保持しており、図６（ａ）に示すように、第１充電端子５０及び第２充電端子６０のいずれもが、光通信素子４１の真下を避けた位置に配置されるようにこれらを固定している。なお、図６（ａ）は、端子ユニット付近を上方から見た様子を説明しており、上方から見たときの光通信素子４１の配置を二点鎖線にて仮想的に例示している。
【００６７】
ノイズ抑制基板８０は、ケース２後端部側において通信基板４０の側方に配置されている。このノイズ抑制基板８０も、ケース２の長手方向において電池１７と壁部２ａの間の位置に配置されており、図４のように、その板面が上下方向と略直交する構成で配置され、ケース２の後端の角部２ｃ側に寄せられた配置をなしている。ノイズ抑制基板８０は、基板本体上にノイズ抑制部品としてのインダクタ８１が実装された構成をなしている。
【００６８】
また、ノイズ抑制基板８０には、上記充電端子（第１充電端子５０及び第２充電端子６０）がいずれも接続されている。具体的には、上述したように第１延伸部５３及び第２延伸部６３がいずれも、通信基板４０と上下に重ならない位置まで延伸しており、これらが当該位置（通信基板４０と上下に重ならない位置）において各曲折部（第１曲折部５５及び第２曲折部６５）を介してノイズ抑制基板８０に固定されている。
【００６９】
ノイズ抑制基板８０の基板面には、第１充電端子５０の第１曲折部５５に接続される導電パターン（第１導電パターン：図示略）と、第２充電端子６０の第２曲折部６５に接続される導電パターン（第２導電パターン：図示略）とが形成されている。第１導電パターンは、第１曲折部５５に接続される位置から、当該接続位置よりも幅方向一端側且つ前方側の所定位置Ｐ１までの導電路として構成されており、その所定位置Ｐ１には、ワイヤ等の導電部材（第１導電部材）が接続されている。また、第２導電パターンも同様であり、第２曲折部６５に接続される位置から、当該接続位置よりも幅方向一端側且つ前方側の所定位置Ｐ２までの導電路として構成されており、その所定位置Ｐ２には、ワイヤ等の導電部材（第２導電部材）が接続されている。なお、これら第１導電部材及び第２導電部材も電池１７へ電力を供給する経路として機能する。
【００７０】
（本実施形態の主な効果）
本実施形態に係る携帯端末１では、ケース２内の一端側の壁部２ａに形成された開口を介して外部に露出する構成で充電端子が配置されており、この充電端子寄りの位置に通信基板４０が配置されている。このようにすると、充電端子側で外部通信を行う場合に有利な構成となる。例えば、携帯端末１の充電を行いうる置台（充電器）に通信手段（例えばＩｒＤＡ通信部）を設けるようにすれば、充電と並行して外部通信（ＩｒＤＡ通信等）を行うといった使用が可能となり、ユーザの利便性を効果的に高めることができる。
【００７１】
更に本実施形態では、充電端子が、外部に露出する露出部と、この露出部に連結されて横向き且つ直線状に延伸する延伸部とを備えており、延伸部が、通信基板４０における露出部側の領域（後方側領域ＡＲ）の下方に配置され、且つ通信基板４０の側方における当該通信基板４０と上下に重ならない位置まで延伸している。このようにすると、露出部からのライン（延伸部）が、通信基板４０に対して横に逃げる直線状の経路となり、例えば撓み易いワイヤなどを通信基板４０と接触しやすい位置に湾曲させて這い回す構成と比較して、通信基板４０が受けるノイズの影響を効果的に低減できる。また、延伸部が通信基板４０と上下に重ならない位置まで延伸しているため、通信基板４０を避けたスペースを利用して延伸部を他部品に接続することができる。
【００７２】
また、本実施形態に係る携帯端末１は、図１のように、ケース２内において長手方向一方寄りに電池１７が配置されており、図３のように、露出部が配置された壁部２ａ（一端側の壁部）と電池１７との間に通信基板４０が配置されている。このようにすると、長手方向一端側に電池１７、充電端子、通信基板４０を効率的に配置することができる。
【００７３】
特に充電端子と電池１７を近い場所に配置できるため、充電ラインを必要以上に確保する必要が無く、通信基板４０が電池１７と壁部２ａ（一端側の壁部）の間に配置されているため、ケース２の厚さや幅をそれほど大きくすることなく充電端子寄りに通信基板４０を配置することができる。即ち、通信基板４０を電池１７と上下に重ねて配置したり、電池１７の左右に通信基板４０を配置せずに済む為、電池１７付近においてケース２の厚さや幅を抑えることができ、持ち運び時や使用時に電池１７部分を把持しやすくなる。一方、このように電池１７と壁部２ａ（一端側の壁部）の間の狭いスペースに通信基板４０を配置すると、通信基板４０と充電端子との距離が近くなり、通信基板４０に対する充電端子からのノイズの影響が懸念されるが、延伸部をケース２の短手方向に沿って直線状に配置して通信基板４０から逃がしているため、通信基板４０がノイズの影響を受けにくくなる。従って、「電池１７付近のケース厚さや幅を低減し得る効率的な配置」及び「ノイズの影響の抑制」を共に実現できる優れた構成となる。
【００７４】
また、充電端子が、少なくとも第１充電端子５０と第２充電端子６０とを有しており、第１充電端子５０の第１延伸部５３が、一端側の壁部２ａから露出する部分（第１露出部５１）に連結されて横向きに延伸し、第２充電端子６０の第２延伸部６３も、一端側の壁部２ａから露出する部分（第２露出部６１）に連結され、第１充電端子５０と同じ側に延びる形態で横向きに延伸している。このようにすると、２つの充電ラインを同方向にまとめることができ、且つ通信基板４０がいずれの充電ラインのノイズの影響も受け難くなる。
【００７５】
また、通信基板４０の側方に、インダクタ８１を搭載したノイズ抑制基板８０が設けられており、第１延伸部５３及び第２延伸部６３がいずれも、通信基板４０と上下に重ならない位置においてノイズ抑制基板８０に固定されている。このようにすると、通信基板４０を適切な位置に配置しつつ、当該通信基板４０を避けた側方スペースを利用してノイズ抑制基板８０を配置することができる。これにより、充電端子に印加されたノイズが通信基板４０に伝わりにくい構成を実現しつつ、通信基板４０を避けた位置においてノイズ自体を低減する対策を講じることができ、ひいては、通信基板４０や他の部品へのノイズの影響をより一層効果的に抑えることができる。
【００７６】
また、第１延伸部５３の長さと、第２延伸部６３の長さとが異なるように構成されている。このようにすると、第１延伸部５３及び第２延伸部６３の各長さが、それぞれ独立して適切な長さに定められ、例えば、第１露出部５１及び第２露出部６１の間隔と、第１曲折部５５及び第２曲折部６５の間隔とを異ならせたい場合に都合の良い構成となる。
【００７７】
更に、第１充電端子５０及び第２充電端子６０を保持する非導電性の保持部材７０が設けられており、この保持部材７０は、少なくとも第１延伸部５３及び第２延伸部６３を被覆しつつケース２内の所定位置に保持している。このように保持部材７０によって第１延伸部５３及び第２延伸部６３を被覆することで、両延伸部から通信基板４０へのノイズの伝達を効果的に抑えることができ、また、保持部材７０が両延伸部の位置を保持しているため、撓み等によって両延伸部が通信基板４０に接近してしまうといった事態を回避できる。
【００７８】
また、光信号を送受信する光通信素子４１が設けられ、この光通信素子４１の上方又は下方を避けた位置に充電端子が固定されている。このようにすると、光通信を行う基板へのノイズの影響をより効果的に抑えることができ、特に光通信素子付近にノイズが伝達されにくくなるため、光通信素子４１を良好に作動させることができる。
【００７９】
［第２実施形態]
次に第２実施形態について説明する。
図９は、第２実施形態の携帯端末における通信基板付近を概略的に例示する斜視図である。図１０（ａ）は、図９の携帯端末で用いられる端子ユニットを上方から見た図であり、図１０（ｂ）は、その端子ユニットを後方から見た図である。図１１（ａ）は、図９の携帯端末で用いられる充電端子を上方から見た図であり、図１１（ｂ）は、その充電端子を後方から見た図である。
【００８０】
本実施形態に係る携帯端末２００は、端子ユニット、ノイズ抑制基板の構成、配置のみが第１実施形態と異なり、それ以外の部分は第１実施形態と同様である。よって、第１実施形態と同様の構成については、第１実施形態と同一の符号を付し、詳細な説明は省略する。
【００８１】
本実施形態でも、第１実施形態と同様に、電池１７がケース２の内部において長手方向の一方寄り（後方寄り）に配置されており（即ち、図１のように電池１７が配置されており）、図９のように、通信基板４０が、長手方向において、電池１７と壁部２ａ（一端側の壁部）の間の位置に配置されている。なお、図９で示す通信基板４０は、前方側領域の基板形状のみが第１実施形態と異なるが、第１実施形態と同様の部品が実装され、第１実施形態と同様の機能を有している。また、後方側領域ＡＲについては第１実施形態と同様に構成され、第１実施形態と同様の位置に光通信素子４１（図１０（ａ）参照、図９では図示略）が配置されている。
【００８２】
次に、携帯端末２００の充電端子等について説明する。
本実施形態の携帯端末２００は、ケース２の後端側の壁部２ａに形成された開口（図示略）を介して露出する形態で、２つの充電端子（第１充電端子２５０、第２充電端子２６０：図１０等参照）が設けられている。これら第１充電端子２５０及び第２充電端子２６０は、ケース２の外部からの電力を電池１７に供給する経路をなしており、図９、図１０に示すように、長手状の保持部材２７０に保持され、ケース２内において壁部２ａに形成された開口（図示略）に面する構成で配置されている。
【００８３】
図１０、図１１に示すように、第１充電端子２５０は、金属板材によって構成（例えば板金加工などによって構成）されており、第１露出部２５１と第１延伸部２５３とが一体的に連結した構成をなしている。第１露出部２５１は、第１実施形態の第１露出部５１と同様の構成をなしており、第１延伸部２５３から下方に延びた下方延出部２５１ａと、この下方延出部２５１ａから折り返されて上方に延びる上方延出部２５１ｂとを有しており、この上方延出部２５１ｂが壁部２ａに形成された開口を介して外部に露出している。
【００８４】
第１延伸部２５３は、第１露出部２５１における下方延出部２５１ａに連結されており、ケース２の短手方向（幅方向）に沿って直線状且つ横向きに延伸している。また、第１延伸部２５３は、細長且つ板状に構成されており、その板面が前後方向と略直交する構成で配置されている。図９、図１０に示すように、本実施形態では、両充電端子（第１充電端子２５０及び第２充電端子２６０）が保持部材２７０によって保持されてなる端子ユニット２９５が、通信基板４０における後方側領域（露出部側の領域）の下方に配置されており、第１延伸部２５３も通信基板４０の後方側領域（図９の一点鎖線ＡＲ参照）の下方に位置しており、通信基板４０の側方の所定位置（通信基板４０と上下に重ならない位置）まで延伸している。
【００８５】
また、第１充電端子２５０には、第１延伸部２５３の端部から折れ曲がり、当該第１延伸部２５３から上方に延びる第１曲折部２５５が設けられている。この第１曲折部２５５は、第１延伸部２５３の延伸方向（即ち横方向）に対して直交方向に延びており、端部側が保持部材２７０から露出し、先端部付近が後述する第１のノイズ抑制基板２８０に接続されている。
【００８６】
図１０、図１１に示すように、第２充電端子２６０も金属板材によって構成（例えば板金加工などによって構成）されており、第２露出部２６１と第２延伸部２６３とが一体的に連結した構成をなしている。第２露出部２６１は、第１実施形態の第２露出部２６１と同様の構成をなしており、第２延伸部２６３から下方に延びた下方延出部２６１ａと、この下方延出部２６１ａから折り返されて上方に延びる上方延出部２６１ｂとを有しており、この上方延出部２６１ｂが壁部２ａに形成された開口を介して外部に露出している。
【００８７】
第２延伸部２６３は第２露出部２６１における下方延出部２６１ａに連結されており、第１延伸部２５３が延びる側とは反対側に延びる形態で、ケース２の短手方向（幅方向）に沿って直線状且つ横向きに延伸している。また、第２延伸部２６３は、細長且つ板状に構成されており、その板面が前後方向と略直交する構成で配置されている。また、図９、図１０に示すように、第２延伸部２６３も通信基板４０の後方側領域（図９の一点鎖線ＡＲ参照）の下方に位置しており、通信基板４０の側方の所定位置（通信基板４０と上下に重ならない位置）まで延伸している。
【００８８】
また、第２充電端子２６０には、第２延伸部２６３の端部から折れ曲がり、当該第２延伸部２６３から上方に延びる第２曲折部２６５が設けられている。この第２曲折部２６５は、第２延伸部２６３の延伸方向（即ち横方向）に対して直交方向に延びており、端部側が保持部材２７０から露出し、先端部付近が後述する第２のノイズ抑制基板２９０に接続されている。
【００８９】
また、本実施形態に係る携帯端末１は、ケース２の後端部側において通信基板４０の一方の側方に、第１のノイズ抑制基板２８０が配置されており、通信基板４０の他方の側方には、第２のノイズ抑制基板２９０が配置されている。
【００９０】
第１のノイズ抑制基板２８０は、ケース２の長手方向（前後方向）において電池１７と壁部２ａの間の位置に配置されており、図９のように、その板面が上下方向と略直交する構成で配置され、ケース２の後端の角部２ｄ側に寄せられた配置をなしている。また、第１のノイズ抑制基板２８０は、第１のノイズ抑制部品としてのインダクタ２８１が実装されており、更に、第１充電端子２５０も接続されている。具体的には、上述したように第１延伸部５３が通信基板４０と上下に重ならない位置まで延伸しており、この第１延伸部２５３が、当該位置（通信基板４０と上下に重ならない位置）において第１曲折部２５５を介してノイズ抑制基板２８０に固定されている。ノイズ抑制基板２８０の基板面には、第１充電端子２５０の第１曲折部２５５に接続される導電パターン（第１導電パターン：図示略）が形成されており、この第１導電パターンは、第１曲折部２５５に接続される位置から、当該接続位置よりも幅方向一端側且つ前方側の所定位置Ｐ３までの導電路として構成されており、その所定位置Ｐ３には、ワイヤ等の導電部材（第１導電部材）が接続されている。なお、図９では、第１曲折部２５５と通信基板４０の接続構成及び第１導電パターンについては図示を省略している。
【００９１】
第２のノイズ抑制基板２９０も、ケース２の長手方向において電池１７と壁部２ａの間の位置に配置されており、図９のように、その板面が上下方向と略直交する構成で配置され、ケース２の後端の角部２ｃ側に寄せられた配置をなしている。第２のノイズ抑制基板２９０は、第２のノイズ抑制部品としてのインダクタ２９１が実装されており、更に、第２充電端子２６０も接続されている。具体的には、上述したように第２延伸部２６３が通信基板４０と上下に重ならない位置まで延伸しており、この第２延伸部２６３が、当該位置（通信基板４０と上下に重ならない位置）において第２曲折部２６５を介してノイズ抑制基板２９０に固定されている。ノイズ抑制基板２９０の基板面には、第２充電端子２６０の第２曲折部２６５に接続される導電パターン（第２導電パターン：図示略）が形成されており、この第２導電パターンは、第２曲折部２６５に接続される位置から、当該接続位置よりも幅方向他端側且つ前方側の所定位置Ｐ４までの導電路として構成されており、その所定位置Ｐ４には、ワイヤ等の導電部材（第１導電部材）が接続されている。
【００９２】
（本実施形態の主な効果）
本実施形態の構成によれば、第１実施形態と同様の効果に加え、例えば以下のような効果をも奏する。
本実施形態の携帯端末２００は、第１充電端子２５０の第１延伸部２５１が、一端側の壁部２ａから露出する部分（第１露出部２５１）に連結されて横向きに延伸しており、他方、第２充電端子２６０の第２延伸部２６３は、一端側の壁部２ａから露出する部分（第２露出部２６１）に連結され、第１充電端子２５０が延伸する側とは反対側に延びる形態で横向きに延伸している。このようにすると、各充電ラインを逆方向に這い回したほうが都合の良い場合（例えば、同方向に這い回すスペースがあまり無い場合等）に有利となり、且つ通信基板４０がいずれの充電ラインのノイズの影響も受け難くなる。
【００９３】
また、通信基板４０の一方の側方に、インダクタ２８１を搭載した第１のノイズ抑制基板２８０が設けられ、他方の側方には、インダクタ２９１を搭載した第２のノイズ抑制基板２９０が設けられている。このようにすると、通信基板４０を適切な位置に配置しつつ、当該通信基板４０を避けた両側方スペースを利用してノイズ抑制基板をそれぞれ配置することができる。これにより、充電端子に印加されたノイズが通信基板４０に伝わりにくい構成を実現しつつ、通信基板４０を避けた位置においてノイズ自体を低減する対策を講じることができ、ひいては、通信基板４０や他の部品へのノイズの影響をより一層効果的に抑えることができる。
【００９４】
［第３実施形態］
次に第３実施形態について説明する。
図１２は、第３実施形態に係る携帯端末における通信基板付近を概略的に例示する斜視図である。図１３は、図１２の携帯端末で用いられる充電端子が保持部材に保持されている様子を示す斜視図である。図１４（ａ）は、図１２の携帯端末で用いられる端子ユニットを上方から見た図であり、図１４（ｂ）は、その端子ユニットを後方から見た図である。図１５（ａ）は、図１２の携帯端末で用いられる充電端子を上方から見た図であり、図１５（ｂ）は、その充電端子を後方から見た図である。図１６は、図１２の携帯端末で用いられる充電端子を斜め後方から見た斜視図である。
【００９５】
本実施形態に係る携帯端末３００は、端子ユニット、ノイズ抑制基板の構成、配置のみが第１実施形態と異なり、それ以外の部分は第１実施形態と同様である。よって、第１実施形態と同様の構成については、第１実施形態と同一の符号を付し、詳細な説明は省略する。
【００９６】
本実施形態でも、第１実施形態と同様に、電池１７がケース２の内部において長手方向の一方寄り（後方寄り）に配置されており（即ち、図１のように電池１７が配置されており）、図１２のように、通信基板４０が、長手方向において、電池１７と壁部２ａ（一端側の壁部）の間の位置に配置されている。なお、図１２で示す通信基板４０は、上述した第２実施形態と前方側領域の基板形状は同じである。また、後方側領域ＡＲは第１実施形態と同様に構成され、第１実施形態と同様の位置に光通信素子４１（図１４（ａ）参照、図１２では図示略）が配置されている。
【００９７】
次に、携帯端末３００の充電端子等について説明する。
本実施形態の携帯端末３００は、ケース２の後端側の壁部２ａに形成された開口（図示略）を介して露出する形態で、２つの充電端子（第１充電端子３５０、第２充電端子３６０：図１３、１４等参照）が設けられている。これら第１充電端子３５０及び第２充電端子３６０は、ケース２の外部からの電力を電池１７に供給する経路をなしており、図１３、１４に示すように、長手状の弾性変形可能な保持部材３７０に保持され、ケース２内において壁部２ａに形成された開口（図示略）に面する構成で配置されている。
【００９８】
図１５、図１６に示すように、第１充電端子３５０は、金属板材によって構成（例えば板金加工などによって構成）されており、第１露出部３５１と第１延伸部３５３ａとが一体的に連結した構成をなしている。第１露出部３５１は、第１実施形態の第１露出部５１と同様の構成をなしており、第１延伸部３５３ａから下方に延びた下方延出部３５１ａと、この下方延出部３５１ａから折り返されて上方に延びる上方延出部３５１ｂとを有しており、この上方延出部３５１ｂが壁部２ａに形成された開口を介して外部に露出している。
【００９９】
第１延伸部３５３ａは、第１露出部３５１における下方延出部３５１ａに連結されており、ケース２の短手方向（幅方向）に沿って直線状且つ横向きに延伸している。また、第１延伸部３５３ａは、細長且つ板状に構成されており、その板面が前後方向と略直交する構成で配置されている。図１２、図１３に示すように、本実施形態では、両充電端子（第１充電端子３５０及び第２充電端子３６０）が保持部材３７０によって保持されてなる端子ユニット３９５ａが、通信基板４０における後方側領域（露出部側の領域）の下方に配置されており、第１延伸部３５３ａも通信基板４０の後方側領域（図１２の一点鎖線ＡＲ参照）の下方に位置しており、通信基板４０の側方の所定位置（通信基板４０と上下に重ならない位置）まで延伸している。
【０１００】
そして、図１４〜図１６に示すように、第１延伸部３５３ａには、第１コイル部３２０ａが形成されている。第１コイル部３２０ａは、角形の渦巻き形状を有しており、ケース２の長手方向と直交する直交平面に沿って巻き回された構成をなしている。更に、この第１コイル部３２０ａには、インダクタンスを高める処理が施されている。具体的には、第１コイル部３２０ａにフェライトなどの磁性材料が付加されている。本実施形態では、磁性材料は、第１コイル部３２０ａの内部に含有されているが、第１コイル部３２０ａの表面に積層してもよい。例えば、第１コイル部３２０ａの表面に、粉末状の磁性材料を塗したり、焼結された磁性材料を貼着することで、磁性材料を第１コイル部３２０ａに付加することができる。
【０１０１】
更に、第１コイル部３２０ａを埋め込んだ構成で保持する保持部材３７０は、樹脂材料などの非導電性材料にフェライトなどの磁性材料が含有されて構成されている。このように、保持部材３７０にも磁性材料が付加されることで、インダクタンスをより高めることができる。なお、磁性材料は、第１コイル部３２０ａ若しくは、保持部材３７０のいずれか一方のみに付加されていてもよい。
【０１０２】
また、第１充電端子３５０には、第１露出部３５１と連結される側とは反対側の第１コイル部３２０ａの終端から折れ曲がり、当該第１コイル部３２０ａの終端から上方に延びる第１曲折部３５５が設けられている。この第１曲折部３５５は、第１延伸部３５３ａの延伸方向（即ち横方向）に対して直交方向に延びており、端部側が保持部材３７０から露出し、先端部付近が後述する第１のノイズ抑制基板３８０に接続されている。
【０１０３】
図１５、図１６に示すように、第２充電端子３６０も金属板材によって構成（例えば板金加工などによって構成）されており、第２露出部３６１と第２延伸部３６３ａとが一体的に連結した構成をなしている。第２露出部３６１は、第１実施形態の第２露出部３６１と同様の構成をなしており、第２延伸部３６３ａから下方に延びた下方延出部３６１ａと、この下方延出部３６１ａから折り返されて上方に延びる上方延出部３６１ｂとを有しており、この上方延出部３６１ｂが壁部２ａに形成された開口を介して外部に露出している。
【０１０４】
第２延伸部３６３ａは第２露出部３６１における下方延出部３６１ａに連結されており、第１延伸部３５３ａが延びる側とは反対側に延びる形態で、ケース２の短手方向（幅方向）に沿って直線状且つ横向きに延伸している。また、第２延伸部３６３ａは、細長且つ板状に構成されており、その板面が前後方向と略直交する構成で配置されている。また、図１２、図１３に示すように、第２延伸部３６３ａも通信基板４０の後方側領域（図１２の一点鎖線ＡＲ参照）の下方に位置しており、通信基板４０の側方の所定位置（通信基板４０と上下に重ならない位置）まで延伸している。
【０１０５】
そして、図１４〜図１６に示すように、第２延伸部３６３ａには、第２コイル部３２１ａが形成されている。第２コイル部３２１ａは、角形の渦巻き形状を有しており、ケース２の長手方向と直交する直交平面に沿って巻き回された構成をなしている。更に、上述した第１コイル部３２０ａと同様に、第２コイル部３２１ａの内部には、フェライトなどの磁性材料が付加されている。この第２コイル部３２１ａは、上述した保持部材３７０により第１コイル部３２０ａと一体的に保持されている。
【０１０６】
また、第２充電端子３６０には、第２露出部３６１と連結される側とは反対側の第２コイル部３２１ａの終端から折れ曲がり、当該第２コイル部３２１ａの終端から上方に延びる第２曲折部３６５が設けられている。この第２曲折部３６５は、第２延伸部３６３ａの延伸方向（即ち横方向）に対して直交方向に延びており、端部側が保持部材３７０から露出し、先端部付近が後述する第２のノイズ抑制基板３９０に接続されている。
【０１０７】
また、本実施形態に係る携帯端末３００は、ケース２の後端部側において通信基板４０の一方の側方に、第１のノイズ抑制基板３８０が配置されており、通信基板４０の他方の側方には、第２のノイズ抑制基板３９０が配置されている。
【０１０８】
第１のノイズ抑制基板３８０は、ケース２の長手方向（前後方向）において電池１７と壁部２ａの間の位置に配置されており、図１２のように、その板面が上下方向と略直交する構成で配置され、ケース２の後端の角部２ｄ側に寄せられた配置をなしている。また、第１のノイズ抑制基板３８０は、第１のノイズ抑制部品としてのインダクタ３８１が実装されており、更に、第１充電端子３５０も接続されている。具体的には、上述したように第１延伸部３５３ａが通信基板４０と上下に重ならない位置まで延伸しており、この第１延伸部３５３ａが、当該位置（通信基板４０と上下に重ならない位置）において第１曲折部３５５を介してノイズ抑制基板３８０に固定されている。すなわち、第１コイル部３２０ａの第１露出部３５１に連結される側とは反対側が、第１のノイズ抑制基板３８０に接続されている。また、第１コイル部３２０ａ全体が、ケース２の長手方向において通信基板４０よりも外側に配置されている。更に、第１コイル部３２０ａは、一方の板面がケース２の長手方向の一方側（前方側）に面し、他方の板面がケース２の長手方向の他方側（後方側）に面する構成で配置されている。
ノイズ抑制基板３８０の基板面には、第１充電端子３５０の第１曲折部３５５に接続される導電パターン（第１導電パターン：図示略）が形成されており、この第１導電パターンは、第１曲折部３５５に接続される位置から、当該接続位置よりも幅方向一端側且つ前方側の所定位置Ｐ３までの導電路として構成されており、その所定位置Ｐ３には、ワイヤ等の導電部材（第１導電部材）が接続されている。なお、図１２では、第１曲折部３５５と通信基板４０の接続構成及び第１導電パターンについては図示を省略している。
【０１０９】
第２のノイズ抑制基板３９０も、ケース２の長手方向において電池１７と壁部２ａの間の位置に配置されており、図１２のように、その板面が上下方向と略直交する構成で配置され、ケース２の後端の角部２ｃ側に寄せられた配置をなしている。第２のノイズ抑制基板３９０は、第２のノイズ抑制部品としてのインダクタ３９１が実装されており、更に、第２充電端子３６０も接続されている。具体的には、上述したように第２延伸部３６３ａが通信基板４０と上下に重ならない位置まで延伸しており、この第２延伸部３６３ａが、当該位置（通信基板４０と上下に重ならない位置）において第２曲折部３６５を介してノイズ抑制基板３９０に固定されている。すなわち、第２コイル部３２１ａの第２露出部３６１に連結される側とは反対側が、第２のノイズ抑制基板３９０に接続されている。また、第２コイル部３２１ａ全体が、ケース２の長手方向において通信基板４０よりも外側に配置されている。更に、第２コイル部３２１ａは、一方の板面がケース２の長手方向の一方側（前方側）に面し、他方の板面がケース２の長手方向の他方側（後方側）に面する構成で配置されている。
ノイズ抑制基板３９０の基板面には、第２充電端子３６０の第２曲折部３６５に接続される導電パターン（第２導電パターン：図示略）が形成されており、この第２導電パターンは、第２曲折部３６５に接続される位置から、当該接続位置よりも幅方向他端側且つ前方側の所定位置Ｐ４までの導電路として構成されており、その所定位置Ｐ４には、ワイヤ等の導電部材（第１導電部材）が接続されている。
【０１１０】
（本実施形態の主な効果）
本実施形態の構成によれば、第１実施形態と同様の効果に加え、例えば以下のような効果をも奏する。
ケース２の長手方向の一端側の壁部２ａにおいて外部に露出する構成で第１充電端子３５０及び第２充電端子３６０が配置されており、この両充電端子３５０，３６０寄りの位置に通信基板４０が配置されている。このようにすると、充電端子側で外部通信を行う場合に有利な構成となる。
更に、第１充電端子３５０及び第２充電端子３６０は、外部に露出する構成で配置される第１露出部３５１及び第２露出部３６１と、この両露出部３５１，３６１に連結されると共に、通信基板４０よりもケース２の長手方向の一端側の壁部２ａ寄りの位置であって、通信基板４０の周囲に配置される第１コイル部３２０ａ及び第２コイル部３２１ａを有している。このようにすると、両充電端子３５０，３６０の一部をインダクタンス成分として機能させることができる。従って、充電端子に外部から突発的なノイズ（例えば静電気等に起因する電圧等）が印加されても、このインダクタンス成分によりノイズを効果的に低減することができ、充電端子付近に存在する通信基板にノイズの影響が及びにくくなる。
【０１１１】
更に本実施形態では、第１コイル部３２０ａ及び第２コイル部３２１ａにおける第１露出部３５１及び第２露出部３６１に連結される側とは反対側が、通信基板４０の側方に設けられたノイズ抑制基板３８０及びノイズ抑制基板３９０にそれぞれ接続されている。このようにすると、充電端子にノイズが印加された場合に、当該ノイズをコイル部とノイズ抑制基板とによって低減することができるため、より一層のノイズ抑制効果が得られ、通信基板や他の部品をより効果的に保護することができる。
【０１１２】
また、本実施形態では、通信基板４０が設けられた側において第１コイル部３２０ａ及び第２コイル部３２１ａの全体が通信基板４０よりも外側に配置されている。このようにすると、通信基板の外側のコイル部でノイズを低減できるため、内側に配置された通信基板がノイズの影響をより受けにくくなる。
【０１１３】
また、第１充電端子３５０及び第２充電端子３６０が、ケース２の長手方向の一端側の壁部２ａに配置された構成において、第１コイル部３２０ａ及び第２コイル部３２１ａが、ケース２の長手方向と直交する直交平面に沿って巻き回された構成をなしている。このようにすると、ケース２の長手方向にコイル部を嵩張らせたくない場合に有利であり、このケース２の長手方向と直交する方向のスペースを利用してコイル部を効率的に配置することができる。
【０１１４】
また、第１充電端子３５０及び第２充電端子３６０が、ケース２の長手方向の一端側の壁部２ａに配置された構成において、第１コイル部３２０ａ及び第２コイル部３２１ａが、金属製の板材によって構成され、且つ一方の板面がケース２の長手方向の一方側（前方側）に面し、他方の板面がケース２の長手方向の他方側（後方側）に面する構成で配置されている。このようにすると、両コイル部３２０ａ，３２１ａを構成する板材の板厚方向がケース２の長手方向（両コイル部３２０ａ，３２１ａが一端側に寄せられる当該方向）に沿った構成となるため、当該長手方向にコイル部を嵩張らせたくない場合により一層有利となる。
【０１１５】
また、第１コイル部３２０ａ及び第２コイル部３２１ａにおいて磁性材料が内部に含有若しくは表面に積層されている。このようにすると、コイル部のインダクタンスをより大きくすることができ、通信基板が受けるノイズの影響をより一層効果的に低減できる。
【０１１６】
また、本実施形態では、第１充電端子３５０及び第２充電端子３６０が、ケース２の長手方向の一端側の壁部２ａに配置された構成において、ケース２の長手方向の一端側の壁部２寄りの位置に弾性変形可能な保持部材３７０が設けられ、少なくとも両コイル部３２０ａ，３２１ａが保持部材３７０内に埋め込まれた構成で保持されている。このようにすると、コイル部を保持部材によってより安定的に保持することができ、外部からの衝撃等に強い構成となる。更に、保持部材が弾性変形可能に構成されているため、例えば、落下等によってケースの長手方向の一端部側に外部から衝撃が加えられたときに、保持部材が弾性変形することによってこの衝撃を効果的に吸収することができ、この一端部側に設けられた通信基板などに衝撃の影響が及びにくくなる。
【０１１７】
また、保持部材３７０は、磁性材料が含有された非導電性材料から構成されている。このようにすると、両コイル部３２０ａ，３２１ａのインダクタンスをさらに大きくすることができ、通信基板が受けるノイズの影響をより一層効果的に低減できる。
【０１１８】
（第３実施形態の変形例）
次に、本発明の第３実施形態の変形例に係る携帯端末について説明する。
図１７は、第３実施形態の変形例に係る携帯端末の充電端子が保持部材に保持されている様子を示す斜視図である。図１８（ａ）は、第３実施形態の変形例に係る携帯端末の端子ユニットを上方から見た図であり、図１８（ｂ）は、その端子ユニットを後方から見た図である。図１９（ａ）は、第３実施形態の変形例に係る携帯端末の充電端子を上方から見た図であり、図１９（ｂ）は、その充電端子を後方から見た図である。図２０は、第３実施形態の変形例に係る携帯端末の充電端子を斜め後方から見た斜視図である。図２１は、本発明の第３実施形態の変形例に係る携帯端末を概略的に例示する側面図である。
【０１１９】
本第３実施形態における変形例では、主に、端子ユニットが異なる以外は、上記第３実施形態と同様である。よって、第３実施形態と同様の構成については、第３実施形態と同一の符号を付し、詳細な説明は省略する。
【０１２０】
本変形例でも、第３実施形態と同様に、電池１７がケース２の内部において長手方向の一方寄り（後方寄り）に配置されており、通信基板４０が、長手方向において、電池１７と壁部２ａ（一端側の壁部）の間の位置に配置されている（図示略）。
【０１２１】
次に、携帯端末３００の充電端子等について説明する。
本変形例の携帯端末３００は、第３実施形態と同様に、ケース２の後端側の壁部２ａに形成された開口（図示略）を介して露出する形態で、２つの充電端子（第１充電端子３５０、第２充電端子３６０：図１７、１８等参照）が設けられている。これら第１充電端子３５０及び第２充電端子３６０は、ケース２の外部からの電力を電池１７に供給する経路をなしており、図１７、１８に示すように、長手状の弾性変形可能な保持部材３７０に保持され、ケース２内において壁部２ａに形成された開口（図示略）に面する構成で配置されている。
【０１２２】
図１９、図２０に示すように、第１充電端子３５０は、金属板材によって構成（例えば板金加工などによって構成）されており、第１露出部３５１と第１延伸部３５３ｂとが一体的に連結した構成をなしている。第１露出部３５１は、第３実施形態と同様の構成をなしており、第１延伸部３５３ｂから下方に延びた下方延出部３５１ａと、この下方延出部３５１ａから折り返されて上方に延びる上方延出部３５１ｂとを有しており、この上方延出部３５１ｂが壁部２ａに形成された開口を介して外部に露出している。
【０１２３】
第１延伸部３５３ｂは、第１露出部３５１における下方延出部３５１ａに連結されており、ケース２の短手方向（幅方向）に沿って直線状且つ横向きに延伸している。また、第１延伸部３５３ｂは、細長且つ板状に構成されており、その板面が前後方向と略直交する構成で配置されている。本変形例では、第３実施形態と同様に、両充電端子（第１充電端子３５０及び第２充電端子３６０）が保持部材３７０によって保持されてなる端子ユニット３９５ｂが、通信基板４０における後方側領域（露出部側の領域）の下方に配置されており、第１延伸部３５３ａも通信基板４０の後方側領域の下方に位置しており、通信基板４０の側方の所定位置（通信基板４０と上下に重ならない位置）まで延伸している。
【０１２４】
そして、図１８〜図２０に示すように、第１延伸部３５３ｂには、第１コイル部３２０ｂが形成されている。第１コイル部３２０ｂは、第１ベース部３３０ａと第１屈曲部３３０ｂとからなり、渦巻き形状に巻き回された構成をなしている。第１ベース部３３０ａは、ケース２の長手方向と直交する直交平面に沿って配置される。また、第１屈曲部３３０ｂは、第１露出部３５１と連結される側とは反対側の第１ベース部３３０ａから折れ曲がって形成されている。この第１ベース部３３０ａと第１屈曲部３３０ｂとは、図１７、１８に示すように、保持部材３７０により保持されている。そして、第１コイル部３２０ｂには、第３実施形態と同様に、フェライトなどの磁性材料が付加されている。更に、保持部材３７０は、樹脂材料などの非導電性材料にフェライトなどの磁性材料が含有されて構成されている。
【０１２５】
また、第１充電端子３５０には、第１露出部３５１と連結される側とは反対側の第１コイル部３２０ａの終端から折れ曲がり、当該第１コイル部３２０ａの終端から上方に延びる第１曲折部３５５が設けられている。この第１曲折部３５５は、第１延伸部３５３ｂの延伸方向（即ち横方向）に対して直交方向に延びており、端部側が保持部材３７０から露出し、先端部付近が第１のノイズ抑制基板３８０に接続されている（図示略）。
【０１２６】
図１９、図２０に示すように、第２充電端子３６０も金属板材によって構成（例えば板金加工などによって構成）されており、第２露出部３６１と第２延伸部３６３ｂとが一体的に連結した構成をなしている。第２露出部３６１は、第１実施形態の第２露出部３６１と同様の構成をなしており、第２延伸部３６３ｂから下方に延びた下方延出部３６１ａと、この下方延出部３６１ａから折り返されて上方に延びる上方延出部３６１ｂとを有しており、この上方延出部３６１ｂが壁部２ａに形成された開口を介して外部に露出している。
【０１２７】
第２延伸部３６３ｂは第２露出部３６１における下方延出部３６１ａに連結されており、第１延伸部３５３ｂが延びる側とは反対側に延びる形態で、ケース２の短手方向（幅方向）に沿って直線状且つ横向きに延伸している。また、第２延伸部３６３ｂは、細長且つ板状に構成されており、その板面が前後方向と略直交する構成で配置されている。また、第３実施形態と同様に、第２延伸部３６３ｂも通信基板４０の後方側領域の下方に位置しており、通信基板４０の側方の所定位置（通信基板４０と上下に重ならない位置）まで延伸している。
【０１２８】
そして、図１８〜図２０に示すように、第２延伸部３６３ｂには、第２コイル部３２１ｂが形成されている。第２コイル部３２１ｂは、第２ベース部３３１ａと第２屈曲部３３１ｂとからなり、渦巻き形状に巻き回された構成をなしている。第２ベース部３３１ａは、ケース２の長手方向と直交する直交平面に沿って配置される。また、第２屈曲部３３１ｂは、第２露出部３６１と連結される側とは反対側の第２ベース部３３１ａから折れ曲がって形成されている。この第２ベース部３３１ａと第２屈曲部３３１ｂとは、図１７、１８に示すように、保持部材３７０により保持されている。そして、第２コイル部３２１ｂには、第３実施形態と同様に、フェライトなどの磁性材料が付加されている。更に、保持部材３７０は、樹脂材料などの非導電性材料にフェライトなどの磁性材料が含有されて構成されている。
【０１２９】
また、第２充電端子３６０には、第２露出部３６１と連結される側とは反対側の第２コイル部３２１ｂの終端から折れ曲がり、当該第２コイル部３２１ｂの終端から上方に延びる第２曲折部３６５が設けられている。この第２曲折部３６５は、第２延伸部３６３ｂの延伸方向（即ち横方向）に対して直交方向に延びており、端部側が保持部材３７０から露出し、先端部付近が第２のノイズ抑制基板３９０に接続されている（図示略）。
【０１３０】
そして、保持部材３７０は、ケース２の一部として構成されると共に、ケース２の長手方向と直交する幅方向に延び、図２１に示すように、一部（幅方向両端部）がケース２の角部２ｃ，２ｄ（２ｃは図示略）として構成されている。更に、第１コイル部３２０ｂ及び第２コイル部３２１ｂは、一部がケース２の角部２ｃ，２ｄにおいて保持部材３７０にそれぞれ保持されている。具体的には、第１ベース部３３０ａ（すなわち幅方向一端部）から第１屈曲部３３０ｂが折れ曲がって形成されている箇所が、角部２ｃに対応する位置に配置されており、また、第２ベース部３３１ａ（すなわち幅方向他端部）から第２屈曲部３３１ｂが折れ曲がって形成されている箇所が、角部２ｄに対応する位置に配置されている。
【０１３１】
このようにすると、第１充電端子３５０及び第２充電端子３６０が、ケース２の長手方向の一端側の壁部２ａに配置された構成において、保持部材３７０がケース２の長手方向と直交する幅方向に延びると共に、少なくとも一部がケース２の角部２ｃ，２ｄに設けられており、第１コイル部３２０ｂ及び第２コイル部３２１ｂは、少なくとも一部がケース２の角部２ｃ，２ｄにおいて保持部材３７０に保持されている。このようにすると、携帯端末が落下したときに、衝撃がもっとも加わり易いケースの角部が保持部材及びコイル部により弾性的に保護されるため、携帯端末に対する衝撃（特に角部に対する衝撃）をより一層効果的に低減できる。また、保持部材を衝撃吸収部材として兼用できるため、別途衝撃吸収用の部品（例えば衝撃吸収カバー等）を設けなくても相応の衝撃吸収効果が得られ、部品点数の低減、装置全体の小型化にも寄与することとなる。
【０１３２】
［他の実施形態]
本発明は上記記述及び図面によって説明した実施形態に限定されるものではなく、例えば次のような実施形態も本発明の技術的範囲に含まれる。
【０１３３】
上記実施形態では、通信基板としてＩｒＤＡ通信を行う基板を例示したが、これ以外の通信方式で外部装置と通信を行う基板であってもよい。例えば、Bluetooth規格、ワイヤレスＵＳＢ規格等の他の通信方式で通信を行う基板として構成してもよい。
【０１３４】
上記実施形態では、充電端子がケース２の長手方向一端側の壁部２ａから露出する例を示したがこの構成に限られない。例えば、充電端子の露出部（第１露出部及び第２露出部）を、ケース２の短手方向一端側の壁部から露出させるような構成であってもよい。この場合も通信基板を露出部寄りに配置し、延伸部（第１延伸部及び第２延伸部）については、通信基板における露出部側の領域の上方又は下方、若しくは通信基板の外縁部よりも外側の領域において、短手方向に対する横向き（即ち長手方向）に直線状に配置すればよい。そして、通信基板の側方における当該通信基板と上下に重ならない位置まで延伸させればよい。
【０１３５】
上記実施形態では、ノイズ抑制部品としてインダクタを用いているが、充電端子に印加された高圧ノイズを除去しうるものであれば他の電気部品を用いてもよい。
【０１３６】
上記実施形態では、端子ユニットを通信基板の後方側領域下方に配置し、第１延伸部及び第２延伸部を当該後方側領域下方に這い回した構成を例示したが、端子ユニットを通信基板の後方側領域上方或いは通信基板よりも後方位置に配置し、第１延伸部及び第２延伸部を当該後方側領域上方或いは通信基板よりも後方位置に這い回すようにしてもよい。
【符号の説明】
【０１３７】
１，２００，３００…携帯端末
２…ケース
２ａ…壁部（一端側の壁部）
１７…電池
４０…通信基板
４１…光通信素子（送受信部）
５０，２５０，３５０…第１充電端子（充電端子）
５１，２５１，３５１…第１露出部（露出部）
５３，２５３，３５３ａ，３５３ｂ…第１延伸部（延伸部）
６０，２６０，３６０…第２充電端子（充電端子）
６１，２６１，３６１…第２露出部（露出部）
６３，２６３，３６３ａ，３６３ｂ…第２延伸部（延伸部）
７０，２７０，３７０…保持部材
８０…ノイズ抑制基板
８１…インダクタ（ノイズ抑制部品）
２８０，３８０…第１のノイズ抑制基板
２８１…インダクタ（第１のノイズ抑制部品）
２９０，３９０…第２のノイズ抑制基板
２９１…インダクタ（第２のノイズ抑制部品）
３２０ａ，３２０ｂ…第１コイル部（コイル部）
３２１ａ，３２１ｂ…第２コイル部（コイル部）
【図１】
2010262624.tif 000003
【図２】
2010262624.tif 000004
【図３】
2010262624.tif 000005
【図４】
2010262624.tif 000006
【図５】
2010262624.tif 000007
【図６】
2010262624.tif 000008
【図７】
2010262624.tif 000009
【図８】
2010262624.tif 000010
【図９】
2010262624.tif 000011
【図１０】
2010262624.tif 000012
【図１１】
2010262624.tif 000013
【図１２】
2010262624.tif 000014
【図１３】
2010262624.tif 000015
【図１４】
2010262624.tif 000016
【図１５】
2010262624.tif 000017
【図１６】
2010262624.tif 000018
【図１７】
2010262624.tif 000019
【図１８】
2010262624.tif 000020
【図１９】
2010262624.tif 000021
【図２０】
2010262624.tif 000022
【図２１】
2010262624.tif 000023